(57)【要約】      （修正有）【課題】精液を移送しかつ保管するためのシステム及び方法を提供する。精液を移送するためのそうしたシステムは、典型的には移送装置と挿入器との２つの装置を含む。【解決手段】挿入器１１はコンドーム内の精液を挿入器に移送させる移送装置１２と相互作用できる。挿入器は、頚部キャップ１３に一時的かつ着脱可能に取り付けできる。移送上端部１４は、精液及びコンドームを保持する移送装置と嵌合するよう構成されている。コンドームが保持体１７内部に保持されかつコンドームの遠位先端部がレセプタクル１５に保持された移送装置まで下降させることができる。キャップ及び移送上端部は、挿入器が取り付けられていない状態でも移送装置まで下降させることができる。レセプタクルは、後に詳述するように内部ピストン１６を含むことができる。【選択図】図１
2018171466.tif 000002
【特許請求の範囲】
【請求項１】
医療用具を操作するための方法であって、
射出精液を収容したコンドームの閉鎖遠位端部をレセプタクル内に下降させる段階と、
前記コンドームの開放近位端部を前記レセプタクルの外周上で裏返す段階と、
通路を画定する移送上端部を前記レセプタクルの頂上に配置する段階と、
前記レセプタクルに対してピストンを移動させて、射出精液の、前記コンドームの前記閉鎖遠位端部からの前記移送上端部内への移送を実行する段階であって、前記精液が前記装置から出るために前記移送上端部を通過できる、実行する段階とを含み、前記レセプタクルが、下端において前記ピストンと、かつ上端において前記レセプタクルと前記移送上端部との間の接続表面とによって、空気の通過から事実上シールされている、方法。
【請求項２】
前記コンドームが裏返された後で前記移送上端部を配置する前に、前記コンドームの前記閉鎖遠位端部が前記レセプタクルの上部に向かって持ち上げられるまで、前記コンドームの前記開放近位端部は、前記レセプタクルの前記外周に沿って軸方向へ移動される、請求項1に記載の方法。
【請求項３】
頚部キャップが前記移送上端部に分離可能に取り付けられている、請求項1又は2に記載の方法。
【請求項４】
前記移送上端部が挿入器に分離可能に接続されている、請求項3に記載の方法。
【請求項５】
前記頚部キャップが挿入器内部に収容されている、請求項4に記載の方法。
【請求項６】
前記頚部キャップが挿入器に分離可能に接続されている、請求項4又は5に記載の方法。
【請求項７】
前記頚部キャップを挿入器に接続する段階を含む、請求項3に記載の方法。
【請求項８】
前記頚部キャップを前記移送上端部から挿入器に移す段階を含む、請求項3に記載の方法。
【請求項９】
前記装置が、前記移送上端部内の前記通路を介して前記精液を移送する前に、前記移送上端部を含む前記装置の上部が前記装置の底部になり、前記レセプタクル及びピストンを含む前記装置の底部が前記装置の上部になるように、前記レセプタクル、ピストン、及び移送上端部を逆さにする段階を含む、請求項1〜8のいずれかに記載の方法。
【請求項１０】
前記精液を保護しつつ保管するのために、前記移送上端部を前記レセプタクル上に配置する段階をさらに含む、請求項1〜9のいずれかに記載の方法。
【請求項１１】
前記精液を保護しつつ保管するのために、前記移送上端部の前に、カバーを前記レセプタクル上に配置する段階をさらに含む、請求項1〜10のいずれかに記載の方法。
【請求項１２】
除去紐が前記頚部キャップに取り付けられており、前記紐は、前記頚部キャップが人の子宮頚を覆うように配置された際に、前記紐の少なくとも一部が前記人の膣から突出するのに十分な長さであり、
前記方法が、前記頚部キャップを人の膣内に、前記除去紐の一部が前記膣から突出するように挿入する段階をさらに含む、請求項3〜8のいずれかに記載の方法。
【請求項１３】
前記紐が2つの端部を備え、両端部が前記頚部キャップに取り付けられている、請求項12に記載の方法。
【請求項１４】
前記膣から突出した前記除去紐の前記一部がループを形成している、請求項12に記載の方法。
【請求項１５】
前記膣から突出した前記除去紐の前記一部が引き手に固定されている、請求項12に記載の方法。
【請求項１６】
膣内挿入及び配置のために物体を挿入手段に取り付けるための段階と、
前記挿入手段を人の膣内に挿入する段階と、
前記膣内に前記物体を配置する段階とを含む、方法。
【請求項１７】
前記物体が、ペッサリー、子宮圧定器、タンポン、座薬、又はpHモニターのいずれかである、請求項16に記載の方法。
【請求項１８】
除去紐が前記物体に取り付けられており、前記紐は、前記物体が前記膣内に配置された際に、前記紐の少なくとも一部が前記人の膣から突出するのに十分な長さであり、
前記物体を配置する前記段階が、前記紐の少なくとも一部が前記膣から突出するように前記除去紐を配する段階を含む、請求項16に記載の方法。
【請求項１９】
前記紐が2つの端部を備え、両端部が前記物体に取り付けられている、請求項18に記載の方法。
【請求項２０】
前記膣から突出した前記除去紐の前記一部がループを形成している、請求項18に記載の方法。
【請求項２１】
前記膣から突出した前記除去紐の前記一部が引き手に固定されている、請求項18に記載の方法。
【請求項２２】
人の膣路内に挿入かつ配置するために寸法決めされ成形されているとともに、除去紐を含む物体であって、
前記除去紐が第1端部と第2端部とを備え、
前記第1及び第2端部が両方とも前記物体に取り付けられており、
前記紐は、前記物体が前記膣路内に配置された際に、前記紐の少なくとも一部が前記膣から突出するのに十分な長さである、物体。
【請求項２３】
前記物体が、ペッサリー、子宮圧定器、タンポン、座薬、又はpHモニターのいずれかである、請求項22に記載の物体。
【発明の詳細な説明】
【技術分野】
【０００１】
関連出願への引用
本願は、その内容全体を引用して本明細書に援用する2012年8月9日付けで提出された米国仮特許出願第61/681,430号の優先権を主張する。
【発明の概要】
【０００２】
膣挿入用の装置及び方法が開示される。
【図面の簡単な説明】
【０００３】
【図１】図1は、頚部キャップを膣に挿入するための装置を概略的に示す。
【図２】図2は、図1の装置の一部の断面図を示す。
【図３】図3は、図1の装置を使用するための方法を断面図で示す。
【図４】図4は、図1の装置を使用するための方法を概略的に示す。
【図５】図5は、図1の装置を使用するための方法を概略的に示す。
【図６】図6は、図1の装置を使用するための方法を概略的に示す。
【図７】図7は、図1の装置を使用するための方法を概略的に示す。
【図８】図8は、図1の装置を使用するための方法を概略的に示す。
【図９】図9は、図1の装置を使用するための方法を概略的に示す。
【図１０】図10は、図1の装置を使用するための別の方法を概略的に示す。
【図１１】図11は、頚部キャップを膣に挿入するための別の装置を使用する方法を概略的に示す。
【図１２】図12は、頚部キャップを膣に挿入するための別の装置を使用する方法を概略的に示す。
【図１３】図13は、頚部キャップを膣に挿入するための別の装置を使用する方法を概略的に示す。
【図１４】図14は頚部キャップを概略的に示す。
【発明を実施するための形態】
【０００４】
精液を移送しかつ保管するためのシステム及び方法が開示される。精液を移送するためのそうしたシステムは、典型的には移送装置と挿入器との2つの装置を含む。移送装置は、一次保持体(コンドームなど)から、後に精液を子宮頚又はその付近まで送出するため膣に挿入される挿入器まで精液を移送する。
【０００５】
図1は、挿入器11及び移送装置12の例示的な実施形態を示す。上述のように、挿入器11は、一次保持体(この移送装置内に配置された図示しないコンドームなど)内の精液を挿入器11に移送させるような態様で移送装置12と相互作用できる。挿入器は、頚部キャップ13に一時的かつ着脱可能に取り付けできる。移送上端部14は、精液及びコンドームを保持する移送装置と嵌合するよう構成されている。挿入器11及びキャップ13が移送上端部14に取り付けられた状態で、挿入器11を、コンドームが保持体17内部に保持されかつコンドームの遠位先端部がレセプタクル15に保持された移送装置12まで下降させることができる。或いは、後述するように、キャップ及び移送上端部14は、挿入器11が取り付けられていない状態でも移送装置まで下降させることができる。レセプタクルは、後に詳述するように内部ピストン16(移送装置12内部に隠れており見えない)を含むことができる。
【０００６】
図2は、移送システムの一実施形態の断面図を示す。保持体21が、精液を収容しているコンドーム(図示しない)の開放された近位端部に取り付けられる。保持体21は、移送本体23の内部管25に沿って摺動するよう寸法決めされかつ成形されている。コンドームの遠位(閉じた)端を移送本体23の内部管25内に降下させた後、保持体21を内部管25の上部に取り付けて、コンドームの壁部を2つの管21及び25の間で保持する。その後、移送上端部24を移送本体23の上に配置する。移送上端部24は挿入装置(図示しない)に最初に結合させてもよく、そうすれば挿入装置ハンドルを用いて移送上端部24を移送本体23に位置決めできる。続いて、移送上端部24を保持体21に対して押圧する。この圧力によって、保持体21は内部管25に沿って下方向に摺動する。コンドームは、保持体21に取り付けられているので内部管25の上部縁の上で裏返されて、内部管25と移送上端部24との間にガスケット式シールを形成する。そして、このシールが、移送装置から精液が失われることを防止しかつ内部管25のキャビティ内の空気を保持することになる。移送上端部24が移送本体23に完全に取り付けられると、保持体21とレセプタクルのベース26(ピストンなど)とによって境界を定められるレセプタクル22内の容積は減少する。この容積減少がコンドームに対して圧力を掛け、コンドームの内表面を移送上端部24の内壁に従わせる。結果的に、コンドーム内の精液に圧力が掛かる。従って、精液は、移送上端部24内部のキャビティ27内へ上方向に放出され、よって注入器28を介して挿入器に予め装着された頚部キャップ内に入る。この頚部キャップは、例えば頚部キャップを押圧して閉じるジョーによって挿入器に予め装着されている。最初に、注入器28が頚部キャップの可撓性材料内に差し挟まれ、頚部キャップの押圧された側部間のシールを維持し、頚部キャップから精液が失われることを防止する。移送上端部24が移送本体23に完全に取り付けられて精液の移送が行われると、挿入器が取り付けられた頚部キャップとともに移送上端部24から解放される。次に、挿入器は頚部キャップから先に膣内に挿入させることができるが、頚部キャップ自体が安全及び快適性をもたらすような軟質の前方端を形成している。ラッチ、レバー、ボタン、又は挿入器の他の機構によって、ユーザは、頚部キャップを開放し、精液を放出し、さらに頚部キャップを解放でき、或いは少なくともジョーを開いて精液を提供できる。次に、挿入器は、精子が頚部キャップ内の精液から出て頚部の口を介して移動するのに適した遅延の後に、引き抜けばよい。代替的には、オプションで回収用の除去紐を取り付けた状態の、頚部キャップを残して挿入器は直ちに引き抜いてもよい。除去紐はその一端をキャップに取り付けて、紐のユーザ端部が膣から突出するように設計すればよい。除去紐のユーザ端部は、ループを形成するようにそれ自身に固定されていてもよい。この紐のユーザ端部は、引き手(pull-tab)、ボタン、又はユーザが紐をより容易に引っ張ることができるよう設計された他の器具に取り付けることも可能である。代替的には、この紐はキャップの両端に取り付けてループを形成させ、そのループが膣から突出するように設計してもよい。上述したすべての紐の構成は、ユーザが後に除去を望む膣路��挿入される任意の物体に適用できる。
【０００７】
図3は、別の実施形態の断面図を示す。ステップAでは、精液32を収容したコンドーム31が保持体33の一端に装着されている。ステップBでは、保持体33をレセプタクル34まで下降させる。保持体33は、その上部がレセプタクル34の上部より下方に位置するまでレセプタクル34の周囲を下降させる。ステップCでは、頚部キャップ36と移送上端部37とを取り付けた挿入器35をレセプタクル34まで下降させ、移送上端部37が底につくまで押し下げる。ピストン38がコンドーム31に圧力を印加し、精液32を、挿入器39を介して頚部キャップ36の液だめまで強制的に送出する。次に、頚部キャップ36に精液32が満たされ使用準備が整った状態で、挿入装置35を移送上端部37から上へ持ち上げて切り離す。
【０００８】
挿入器を移送本体に配置するのでなく、代わりにシーリングキャップを配置してもよい。こうすれば移送装置が後に使用するための貯蔵カプセルになる。
【０００９】
本明細書では人工授精で使用される頚部キャップに関連して説明するが、移送システムは、頚部キャップ以外の物体、例えば、ペッサリー(diaphragm)、子宮圧定器(pessary)、タンポン、座薬、pHモニター、又は他の避妊具若しくは膣用具を膣道に配置するために使用できる。もちろん、同じ移送システムを用いて、人工授精以外の、例えば避妊の目的で頚部キャップを配置することも可能である。
***
【実施例１】
【００１０】
1. コンドームは、閉鎖遠位端部の中に精液を受け取る標準的なコンドームとして使用され、移送のため回収される。
【００１１】
2. ユーザは、コンドーム41の開放近位端部を、コンドーム又は保持体42の位置合わせマークを用いて保持体42に装着する(図4)。
【００１２】
3. ユーザは、保持体42を保持しつつ、コンドーム41を移送本体44の内部管すなわちレセプタクル43内に導入し、保持体(図5)を下降させ、保持体が止め具に接触するまで保持体をレセプタクルの外側に嵌合させる。
【００１３】
4. すると、保持体42は移送本体44のレセプタクル43の外側に取り付けられ、コンドーム41の閉じた遠位端部内の精液は、移送本体44のレセプタクル43の頂上で「提供」される(図6)。
【００１４】
5. ユーザは、予め装着された頚部キャップ13及び移送上端部を備えた挿入器11を、移送装置上に下降させる(図7〜8)。挿入器及び移送上端部のこの下方動作が、次のように、予め装着された頚部キャップへの精液の移送を自動的に実行する。
【００１５】
A.移送上端部は、先ず保持体の周縁の周りをシールし、次に保持体をピストンの周りで下方向に摺動させる。保持体及びレセプタクルのこの下方向の運動は、外側及びレセプタクルに対するピストンの上方向の運動に等しい。
【００１６】
B.すると、ピストンが、コンドームの閉鎖遠位端部を上方向に、移送上端部のシールされた内部キャビティ内まで持ち上げ、コンドームを内部キャビティの表面に完全に押しつける。
【００１７】
C.結果として生じる圧力によって、精液は移送上端部を出て注入器(頚部キャップの接触縁表面との間を介して、頚部キャップ内まで移動する。
【００１８】
D. 移送上端部は、その下方向運動の終端に達すると、移送本体内に自動的に嵌り込みかつ移送本体に固定される。すると、ユーザは、挿入器11及び頚部キャップ13(コンドームからの精液が投入されている)を移送上端部から引き抜き、注入器からも引き放す。頚部キャップ周縁表面は、注入器が挿通された箇所をシールし、挿入器及び頚部キャップは、頚部キャップを配置するための使用準備が整うことになる、
【００１９】
代替的には、図10に示したように、移送本体に蓋101をして、精液が保管及び将来の使用のため内部にシールされた状態としてもよい。
***
【実施例２】
【００２０】
図11〜13は代替的な実施形態を概略的に示す。コンドーム111は、閉鎖遠位端部で精液を受け取る標準的なコンドームとして使用され、移送のため回収される。図11に示したように、コンドーム111はレセプタクル112の内部に下降され、コンドームの近位端部114がレセプタクルの外周113上で裏返される。図示した代替的な実施形態では、コンドームの裏返された近位端部はレセプタクルの外周に沿って軸方向へ移動でき、コンドームの遠位端部がレセプタクルの上部に向かって持ち上げられる。次に、図12に示すように、移送上端部121がレセプタクル112の頂上に配置される。コンドームは、レセプタクルと移送上端部との間で実質的に気密のシールを形成するガスケットとして作用する。すなわち、レセプタクルは実質的に気密空間を画定し、ここでレセプタクルの一部はピストン112として移動可能である。図11〜13に示したように、レセプタクル及びピストンは、注射器のそれぞれ筒及びプランジャーのように構成できる。図13に示したように、移送上端部及びコンドームを取り付けた状態のレセプタクルは、幾つかの場合では、組み付けられた移送上端部と、レセプタクルと、コンドームとを逆さにすることによって、移送上端部が頚部キャップに隣接するように配置できる。配置が完了すれば、ピストンを作動させ、レセプタクルの気密部分の大きさを減少させ、コンドームの遠位端部から移送上端部内の通路を介して精液が移送される。次に、図13に示すように、精液は頚部キャップ内に入れられる。他の実施形態と同様に、挿入器は頚部キャップを閉じるようにシールし、精液を保持できる。次に、挿入器を膣内に挿入して頚部キャップを子宮頚を覆うように位置決めでき、ここでキャップを開放すると、精液が解放されて子宮頚内を移動可能となる。
***
【００２１】
図14は、除去紐142を備えた頚部キャップ141を概略的に示す。紐142は一端のみでキャップ141に取り付けてよい。紐は両端でキャップに取り付けて、ループ143を形成することもできる。紐の端部は紐自体に取り付けてループ144を形成し、一端のみがキャップ141に取り付けられるようにしてもよい。紐は一端をキャップに取り付け、さらに、引き手、ボタン、又はユーザが紐をより容易に引っ張ることができるよう設計された他の器具145に取り付けてもよい。
【００２２】
受胎を促進するための方法は、精液を収容する閉鎖遠位端部を備えたコンドームを保持体に装着する段階と、前記コンドームの前記閉鎖遠位端部がレセプタクル内に下降されるように、前記レセプタクルの頂上に前記保持体を配置する段階と、通路を画定する移送上端部を前記保持体の上に配置する段階と、前記レセプタクルに対してピストンを移動させて、精液を、前記コンドームの前記閉鎖遠位端部から頚部キャップ内に前記通路を介して移送させる段階とを含むことができ、前記レセプタクルは、下端において前記ピストンと、上端において前記移送上端部及び前記コンドームとによって空気の通過から事実上シールされ、かつ前記移送上端部と前記レセプタクルとの間の空間は、前記コンドームによりシールされている。こうした方法は、前記保持体を、前記コンドームの前記閉鎖遠位端部が前記レセプタクルの上部に向かって持ち上げられるまで、レセプタクルの外周に沿って軸方向へ摺動させる段階をさらに含むことができる。こうした方法は、前記保持体を、前記保持体が止め具に接触するまで、レセプタクルの外周に沿って軸方向へ摺動させる段階をさらに含むことができる。こうした方法は、前記移送上端部を用いて前記レセプタクルを軸方向で下方に押圧する段階をさらに含むことができる。
【００２３】
こうした方法では、前記移送上端部は挿入器に取り外し可能に接続でき、前記頚部キャップは挿入器内部に収容でき、かつ/又は前記頚部キャップは挿入器に分離可能に接続できる。こうした方法は、前記頚部キャップを挿入器に接続する段階及び/又は前記頚部キャップを前記移送上端部から挿入器に移す段階を含むことができる。こうした方法では、前記保持体は環状とすることができ、前記レセプタクルは円柱状とすることができる。
【００２４】
精液の移送方法は、通路を画定する保持体に、内部に精液が配置される閉鎖遠位端部を含むコンドームを装着する段階と、前記精液と前記コンドームの前記閉鎖遠位端部との両方がレセプタクル内に入るように、前記レセプタクルに関連して前記保持体を配置する段階と、前記レセプタクルに対してピストンを移動させて、精液の、前記コンドームの前記閉鎖遠位端部からの頚部キャップ内への前記通路を介した移送を実行する段階とを含むことができ、前記レセプタクルが、前記レセプタクルの下端において前記ピストンにより、かつ前記レセプタクルの上端において前記レセプタクルと前記コンドームとの間の表面を接続することによって、空気の通過から事実上シールされている。こうした方法は、前記保持体を、前記コンドームの前記端部が前記レセプタクルの上部に向かって持ち上げられるまでかつ/又は前記保持体が止め具に接触するまで、レセプタクルの外周に沿って軸方向へ摺動させる段階を含むことができる。こうした方法では、移送上端部を挿入器に接続でき、前記キャップは挿入器内に収容でき、かつ/又は前記キャップは挿入器に接続できる。こうした方法は、前記キャップを挿入器に接続する段階及び/又は前記キャップを前記保持体から挿入器に移す段階も含むことができる。こうした方法では、前記保持体は環状とすることができ、前記レセプタクルは円柱状とすることができ、かつ/又は前記保持体はレセプタクルの形状に合致するよう成形できる。
【００２５】
装置から精液を移送するための方法は、射出精液を収容したコンドームの閉鎖遠位端部をレセプタクル内に下降させる段階と、前記コンドームの開放近位端部を前記レセプタクルの外周上で裏返す段階と、通路を画定する前記移送上端部を前記レセプタクルの頂上に配置する段階と、前記レセプタクルに対してピストンを移動させて、射出精液の、前記コンドームの前記閉鎖遠位端部からの前記移送上端部内の前記通路を介した移送を実行する段階であって、前記精液が前記装置から出るために前記通路を通過できる、実行する段階とを含むことができ、前記レセプタクルが、下端において前記ピストンと、かつ上端において前記レセプタクルと前記移送上端部との間の接続表面とによって、空気の通過から事実上シールされている。こうした方法では、前記コンドームが裏返された後で前記移送上端部を配置する前に、前記コンドームの前記閉鎖遠位端部が前記レセプタクルの上部に向かって持ち上げられるまで、前記コンドームの前記開放近位端部は、前記レセプタクルの前記外周に沿って軸方向へ移動可能である。こうした方法では、頚部キャップが前記移送上端部に分離可能に取り付けでき、前記移送上端部は挿入器に分離可能に接続でき、前記頚部キャップは挿入器内部に収容でき、かつ/又は前記頚部キャップは挿入器に分離可能に接続できる。こうした方法は、前記頚部キャップを挿入器に接続する段階及び/又は前記頚部キャップを前記移送上端部から挿入器に移す段階を含むこともできる。こうした方法は、前記移送上端部内の前記通路を介して前記精液を移送する前に、前記移送上端部を含む前記装置の上部が前記装置の底部になり、前記レセプタクル及びピストンを含む前記装置の底部が前記装置の上部になるように、前記レセプタクル、ピストン、及び移送上端部を逆さにする段階を含むことができる。こうした方法は、前記精液を保護しつつ保管するのために、前記移送上端部を前記レセプタクル上に配置する段階及び/又は前記精液を保護しつつ保管するのために、前記移送上端部の前に、カバーを前記レセプタクル上に配置する段階をさらに含むことができる。
【００２６】
頚部キャップを含む任意の方法では、除去紐を前記頚部キャップに取り付けることができる。前記除去紐は、前記頚部キャップが人の子宮頚を覆うように配置された際に、前記紐の少なくとも一部が前記人の膣から突出するのに十分な長さとすることができる。前記方法が、前記頚部キャップを人の膣内に、前記除去紐の一部が前記膣から突出するように挿入する段階を含むこともできる。前記紐は2つの端部を備えることができ、両端部は、前記頚部キャップに取り付けてループを形成することもでき、又は、1つの端部のみを前記頚部キャップに取り付けてもよいし、又は、前記紐は、いずれの端部でもない中間点で前記頚部キャップに取り付けてもよい。前記膣から突出した前記除去紐の前記一部はループを形成できる。前記膣から突出した前記除去紐の前記一部は、引き手、ボタン、又はユーザが前記紐をより容易に引っ張ることができるよう設計された他の器具に取り付けてもよい。
【００２７】
物体を膣に挿入するための方法は、膣内挿入及び配置のために物体を挿入手段に取り付けるための段階と、前記挿入手段を人の膣内に挿入する段階と、前記膣内に前記物体を配置する段階とを含むことができる。前記挿入手段は、前記物体を前記挿入手段に着脱可能に取り付ける手段と、前記物体を所望の位置に配置するために前記挿入手段から前記物体を解放する手段とを含むことができる。こうした方法では、前記物体は、例えば、ペッサリー、子宮圧定器、タンポン、座薬、又はpHモニターとすることができる。こうした方法では、除去紐を前記物体に取り付けできる。前記除去紐は、前記物体が前記膣内に配置された際に、前記紐の少なくとも一部が前記人の膣から突出するのに十分な長さとすることができる。こうした方法は、前記除去紐の少なくとも一部が前記膣から突出するように前記物体を配置する段階を含むことができる。前記紐は2つの端部を備えることができ、両端部を前記物体に取り付けてループを形成することもでき、又は、1つの端部のみを前記物体に取り付けてもよいし、又は、前記紐は、いずれの端部でもない中間点で前記物体に取り付けてもよい。前記膣から突出した前記除去紐の前記一部はループを形成できる。前記膣から突出した前記除去紐の前記一部は、引き手、ボタン、又はユーザが前記紐をより容易に引っ張ることができるよう設計された他の器具に取り付けてもよい。
【００２８】
人の膣路内に挿入かつ配置するために寸法決めされ成形された物体は、除去紐を含むことができる。前記除去紐は第1端部と第2端部とを備えることができる。前記第1及び第2端部は両方とも前記物体に取り付けてよい。前記紐は、前記物体が前記膣路内に配置された際に、前記紐の少なくとも一部が前記膣から突出するのに十分な長さとすることができる。前記物体は、例えば、ペッサリー、子宮圧定器、タンポン、座薬、又はpHモニターとすることができる。
【図１】
2018171466.tif 000003
【図２】
2018171466.tif 000004
【図３】
2018171466.tif 000005
【図４】
2018171466.tif 000006
【図５】
2018171466.tif 000007
【図６】
2018171466.tif 000008
【図７】
2018171466.tif 000009
【図８】
2018171466.tif 000010
【図９】
2018171466.tif 000011
【図１０】
2018171466.tif 000012
【図１１】
2018171466.tif 000013
【図１２】
2018171466.tif 000014
【図１３】
2018171466.tif 000015
【図１４】
2018171466.tif 000016